(57)【特許請求の範囲】
【請求項１】
第１階層アイコンと、前記第１階層アイコンの特性に応じた設定の選択肢を環状に並べて表示している状態である第２階層アイコンと、ポインタと、を表示する表示手段と；
回転手段とジョイスティック手段と決定手段とを一体に備えた入力手段と；
を備え、
前記表示手段は、操作者による前記入力手段の前記ジョイスティック手段の操作により前記ジョイスティック手段が前記操作された操作方向に応じた方向へ前記ポインタを移動させ、
前記表示手段は、前記第１階層アイコンの中心部からの所定距離範囲内に前記ポインタが停止している、もしくは前記第１階層アイコンの前記中心部からの前記所定距離範囲内に前記ポインタが所定速度以下で移動するときに、前記第１階層アイコンを前記第２階層アイコンに変化させ、
前記表示手段は、前記操作者による前記入力手段の前記回転手段の回転操作により前記回転手段が前記回転操作された回転方向に前記選択肢を前記環状に遷移させ、
前記入力手段の前記決定手段は、前記操作者の所定操作により前記選択肢のうちの所定位置に位置する前記選択肢の設定を現在の前記第１階層アイコンの前記特性に応じた前記設定として決定する、
ことを特徴とする入力装置。
【請求項２】
第１階層アイコンと、前記第１階層アイコンの特性に応じた設定の選択肢を環状に並べて表示している状態である第２階層アイコンと、前記第１階層アイコンとは異なる中間階層アイコンと、ポインタと、を表示する表示手段と；
回転手段とジョイスティック手段と決定手段とを一体に備えた入力手段と；
を備え、
前記表示手段は、操作者による前記入力手段の前記ジョイスティック手段の操作により前記ジョイスティック手段が前記操作された操作方向に応じた方向へ前記ポインタを移動させ、
前記表示手段は、前記第１階層アイコンの中心部からの所定第１距離範囲内に前記ポインタが停止している、もしくは前記第１階層アイコンの前記中心部からの前記所定第１距離範囲内に前記ポインタが所定第１速度以下で移動するときに、前記第１階層アイコンを前記中間階層アイコンに変化させ、
前記表示手段は、前記中間階層アイコンの中心部からの所定第２距離範囲内に前記ポインタが前記所定第１速度より低速の所定第２速度以下で移動するときに、前記中間階層アイコンを前記第２階層アイコンに変化させ、
前記表示手段は、前記操作者による前記入力手段の前記回転手段の回転操作により前記回転手段が前記回転操作された回転方向に前記選択肢を前記環状に遷移させ、
前記入力手段の前記決定手段は、前記操作者の所定操作により前記選択肢のうち所定位置に位置する前記選択肢の設定を現在の前記第１階層アイコンの前記特性に応じた前記設定として決定することを特徴とする入力装置。
【請求項３】
前記表示手段は、前記決定手段により前記選択肢を決定した後に、決定された前記選択肢を前記第１階層アイコンとして表示することを特徴とする請求項１または請求項２に記載の入力装置。
【請求項４】
前記表示手段は、前記第２アイコンを表示しているときに前記ポインタの形状を円環形状とすることを特徴とする請求項１または請求項２に記載の入力装置。
【請求項５】
前記回転手段は、前記表示手段が前記第２アイコンを表示しているときにのみ前記回転手段が回転したことを検知することを特徴とする請求項１または請求項２に記載の入力装置。
【発明の詳細な説明】
【技術分野】
【０００１】
本発明は、入力装置に関する。
本願は、２０１１年５月３０日に日本国に出願された特願２０１１−１２０９６０号に基づき優先権を主張し、その内容をここに援用する。
【背景技術】
【０００２】
従来、例えば、地図をスクロールする操作などによって地図上を相対移動する十字カーソルが、所定地点（所定の中継点や目的地など）の所定距離範囲内に到達すると、この十字カーソルを矢印アイコンに変化させて前記所定地点に対する各種操作が可能であることを示す。そして、このとき所定の操作（実行キーの操作など）が行なわれると、前記所定地点に対して実行可能な削除や移動などの各種の編集操作のメニュー項目を表示するナビゲーション装置が知られている（例えば、特許文献１参照）。
【先行技術文献】
【特許文献】
【０００３】
【特許文献１】日本国特開２００２−２８６４８９号公報
【発明の概要】
【発明が解決しようとする課題】
【０００４】
ところで、上記従来技術に係るナビゲーション装置においては、所定地点の編集に対して選択可能な編集操作のメニュー項目を自動的に表示するだけである。そのため、選択可能な各種のメニュー項目の提示および所望のメニュー項目の選択操作に要する操作者の負担をより一層軽減し、操作者による直感的な操作性および利便性を向上させることが望まれている。【０００５】
本発明は上記事情に鑑みてなされたもので、操作者の操作負担を軽減し、操作者による直感的な操作性および利便性を向上させることが可能な入力装置を提供することを目的としている。
【課題を解決するための手段】
【０００６】
上記課題を解決して係る目的を達成するために、以下を採用した。
すなわち、（１）本発明の一態様に係る入力装置は、第１階層アイコンと、前記第１階層アイコンの特性に応じた設定の選択肢を環状に並べて表示している状態である第２階層アイコン（と、ポインタと、を表示する表示手段と、回転手段とジョイスティック手段と決定手段とを一体に備えた入力手段と、を備え、前記表示手段は、操作者による前記入力手段の前記ジョイスティック手段の操作により前記ジョイスティック手段が前記操作された操作方向に応じた方向へ前記ポインタを移動させ、前記表示手段は、前記第１階層アイコンの中心部からの所定距離範囲内に前記ポインタが停止している、もしくは前記第１階層アイコンの前記中心部からの前記所定距離範囲内に前記ポインタが所定速度以下で移動するときに、前記第１階層アイコンを前記第２階層アイコンに変化させ、前記表示手段は、前記操作者による前記入力手段の前記回転手段の回転操作により前記回転手段が前記回転操作された回転方向に前記選択肢を前記環状に遷移させ、前記入力手段の前記決定手段は、前記操作者の所定操作により前記選択肢のうちの所定位置に位置する前記選択肢の設定を現在の前記第１階層アイコンの前記特性に応じた前記設定として決定する。【０００７】
（２）本発明の他の態様に係る入力装置は、第１階層アイコンと、前記第１階層アイコンの特性に応じた設定の選択肢を環状に並べて表示している状態である第２階層アイコンと、前記第１階層アイコンとは異なる中間階層アイコン（と、ポインタと、を表示する表示手段と、回転手段とジョイスティック手段と決定手段とを一体に備えた入力手段と、を備え、前記表示手段は、操作者による前記入力手段の前記ジョイスティック手段の操作により前記ジョイスティック手段が前記操作された操作方向に応じた方向へ前記ポインタを移動させ、前記表示手段は、前記第１階層アイコンの中心部からの所定第１距離範囲内に前記ポインタが停止している、もしくは前記第１階層アイコンの前記中心部からの前記所定第１距離範囲内に前記ポインタが所定第１速度以下で移動するときに、前記第１階層アイコンを前記中間階層アイコンに変化させ、前記表示手段は、前記中間階層アイコンの中心部からの所定第２距離範囲内に前記ポインタが前記所定第１速度より低速の所定第２速度以下で移動するときに、前記中間階層アイコンを前記第２階層アイコンに変化させ、前記表示手段は、前記操作者による前記入力手段の前記回転手段の回転操作により前記回転手段が前記回転操作された回転方向に前記選択肢を前記環状に遷移させ、前記入力手段の前記決定手段は、前記操作者の所定操作により前記選択肢のうち所定位置に位置する前記選択肢の設定を現在の前記第１階層アイコンの前記特性に応じた前記設定として決定する。【０００８】
（３）上記（１）または（２）に係る入力装置において、前記表示手段が、前記決定手段により前記選択肢を決定した後に、決定された前記選択肢を前記第１階層アイコンとして表示する構成を採用してもよい。【０００９】
（４）上記（１）〜（３）の何れか一つに記載の態様において、前記表示手段が、前記第２アイコンを表示しているときに前記ポインタの形状を円環形状とする構成を採用してもよい。【００１０】
（５）上記（１）〜（４）の何れか一つに記載の態様において、前記回転手段が、前記表示手段が前記第２アイコンを表示しているときにのみ該回転手段が回転したことを検知する構成を採用してもよい。
【発明の効果】
【００１１】
本発明の上記（１）の態様に係る入力装置によれば、第１階層アイコンにポインタが接近したときに、第１階層アイコンを第２階層アイコンに変化させることから、操作者が容易かつ迅速に操作可能な第１階層アイコンを認知することができ、操作者が所望の第１階層アイコンに到達するまでに要する操作負担を軽減できる。【００１２】
しかも、第２階層アイコンは選択肢が環状配置されてなり、回転手段の回転操作の回転方向（つまり、時計回りまたは反時計回り）に選択肢が環状に遷移する。そのため、入力手段の回転手段の回転操作により選択肢を選択可能であることを操作者に直感的に認知させることができる。【００１３】
また、ジョイスティック手段の操作によるポインタの移動と、回転手段の回転操作による選択肢の遷移とを、単一の入力手段に対する連続的な一連の操作によって行なうことができる。そのため、例えば入力手段を持ち替えるための手元の移動や入力手段を探すための視線移動を必要とせずに、直感的な操作性および利便性を向上させることができる。【００１４】
また、本発明の上記（２）の態様に係る入力装置によれば、第１階層アイコンにポインタが接近したときに、第１階層アイコンを、中間階層アイコンを介して第２階層アイコンに変化させる。そのため、操作者は容易かつ迅速かつ的確に操作可能な第１階層アイコンを認知することができ、操作者が所望の第１階層アイコンに到達するまでに要する操作負担を軽減できる。【００１５】
しかも、第２階層アイコンは選択肢が環状配置されてなり、回転手段の回転操作の回転方向（つまり、時計回りまたは反時計回り）に選択肢が環状に遷移する。そのため、入力手段の回転手段の回転操作により選択肢を選択可能であることを操作者に直感的に認知させることができる。【００１６】
また、ジョイスティック手段の操作によるポインタの移動と、回転手段の回転操作による選択肢の遷移とを、単一の入力手段に対する連続的な一連の操作によって行なうことができる。そのため、例えば入力手段を持ち替えるための手元の移動や入力手段を探すための視線移動を必要とせずに、直感的な操作性および利便性を向上させることができる。【００１７】
さらに、本発明の上記（３）の態様に係る入力装置によれば、選択肢を環状に並べて表示している状態である第２階層アイコンの表示中に決定手段によって所定の選択肢が決定された後には、この決定された選択肢を第１階層アイコンとして表示する状態へと変化させる。
これにより、決定手段によって決定されなかった他の選択肢の表示を停止して、表示画面内などの表示領域を有効利用できると共に、決定された選択肢を操作者に迅速かつ的確に視認させることができる。そのため、操作者の視線移動時間を低減できる。【００１８】
さらに、本発明の上記（４）の態様に係る入力装置によれば、円環形状のポインタによって入力手段の回転手段の回転操作により選択肢を選択可能であることを操作者に直感的に認知させることができる。そのため、直感的な操作性および利便性を向上させることができる。【００１９】
さらに、本発明の上記（５）の態様に係る入力装置によれば、誤検知を防止し、かつ、作動負荷を軽減できる。
【図面の簡単な説明】
【００２０】
【図１】本発明の実施形態に係る入力装置の構成図である。
【図２】同実施形態に係る入力装置の操作部材に対して可能な操作を示す図である。
【図３】同実施形態に係る入力装置の表示画面上に表示される第１階層アイコンと、第２階層アイコンと、ポインタとの例を示す図である。
【図４Ａ】同実施形態に係る入力装置の操作部材に対する傾動操作と、回転操作との例を示す図である。
【図４Ｂ】同実施形態に係る入力装置の操作部材に対する傾動操作と、回転操作との例を示す図である。
【図５Ａ】同実施形態に係る入力装置の表示画面上に表示される第１階層アイコンと、第２階層アイコンと、ポインタとの例を示す図である。
【図５Ｂ】同実施形態に係る入力装置の表示画面上に表示される第１階層アイコンと、第２階層アイコンと、ポインタとの例を示す図である。
【図５Ｃ】同実施形態に係る入力装置の表示画面上に表示される第１階層アイコンと、第２階層アイコンと、ポインタとの例を示す図である。
【図６Ａ】同実施形態に係る入力装置の表示画面上に表示される第１階層アイコンと、第２階層アイコンと、ポインタとの例を示す図である。
【図６Ｂ】同実施形態に係る入力装置の表示画面上に表示される第１階層アイコンと、第２階層アイコンと、ポインタとの例を示す図である。
【図６Ｃ】同実施形態に係る入力装置の表示画面上に表示される第１階層アイコンと、第２階層アイコンと、ポインタとの例を示す図である。
【図７】同実施形態に係る入力装置の表示画面上に表示される第１階層アイコンと、第２階層アイコンと、ポインタとの例を示す図である。
【図８Ａ】同実施形態に係る入力装置の操作部材に対する傾動操作と、回転操作との例を示す図である。
【図８Ｂ】同実施形態に係る入力装置の操作部材に対する傾動操作と、回転操作との例を示す図である。
【図８Ｃ】同実施形態に係る入力装置の操作部材に対する傾動操作と、回転操作との例を示す図である。
【図９】同実施形態の変形例に係る入力装置の表示画面上に表示される第１階層アイコンと、中間階層アイコンと、第２階層アイコンと、ポインタとの例を示す図である。
【図１０Ａ】同実施形態の変形例に係る入力装置の操作部材に対する傾動操作と、回転操作との例を示す図である。
【図１０Ｂ】同実施形態の変形例に係る入力装置の操作部材に対する傾動操作と、回転操作との例を示す図である。
【図１０Ｃ】同実施形態の変形例に係る入力装置の操作部材に対する傾動操作と、回転操作との例を示す図である。
【図１１Ａ】同実施形態に係る入力装置の表示画面上に表示される表示内容の例を示す図である。
【図１１Ｂ】同実施形態に係る入力装置の表示画面上に表示される表示内容の例を示す図である。
【図１２】同実施形態に係る入力装置の操作部材に対するたたく操作の例を示す図である。
【図１３】同実施形態に係る入力装置の表示画面上に表示される表示内容の例を示す図である。
【図１４Ａ】同実施形態に係る入力装置の操作部材に対する回動操作の例を示す図である。
【図１４Ｂ】同実施形態に係る入力装置の操作部材に対する回動操作の例を示す図である。
【発明を実施するための形態】
【００２１】
以下、本発明の一実施形態に係る入力装置について添付図面を参照しながら説明する。
【００２２】
本実施の形態による入力装置１０は、例えば図１に示すように、車両のダッシュボード上に設けられた表示画面（表示手段）１１および操作部材（入力手段）１２と、制御装置１３とを備えて構成されている。
そして、入力装置１０は、操作者（例えば、運転者）による操作部材１２に対する入力操作に応じて、各種の車載機器（図示略）の動作を制御する。
【００２３】
表示画面１１は、例えばダッシュボード上に配置される。表示画面１１は、操作部材１２に対する操作者の入力操作によって変化する制御装置１３から出力される制御信号に応じて、各種アイコンおよびポインタを表示する。
【００２４】
操作部材１２は、例えば図２に示すように、操作者により把持可能なノブからなる。操作部材１２は、操作者の傾動操作（ジョイスティック操作）によって軸線Ｐから適宜の傾斜方向に傾動可能な傾動機構（図示略）と、操作者の回転操作によって軸線Ｐ周りに回転可能な回転機構（図示略）と、操作者の押圧操作によって軸線Ｐ方向に変位可能な変位機構（図示略）とを一体に備えて構成されている。
【００２５】
そして、傾動機構は、操作者の傾動操作（ジョイスティック操作）における傾動操作量および傾動操作方向を示す信号を出力する。
また、回転機構は、操作者の回転操作における回転操作量および回転操作方向を示す信号を出力する。
また、変位機構は、操作者の押圧操作の有無を示す信号を出力する。
【００２６】
なお、軸線Ｐ方向および軸線Ｐに直交する平面内での適宜の方向に対して所定の基準位置が設定されており、操作部材１２は、操作者からの入力操作が無い場合には、この基準位置に自動的に戻るように設定されている。
【００２７】
制御装置１３は、操作部材１２に対する操作者の入力操作を検出する。そして、制御装置１３はこの検出結果に基づき、各種の車載機器（図示略）の動作、例えば表示画面１１での表示などを制御するための制御指令を出力する。
制御装置１３は、例えば、操作検出部２１と、表示制御部（表示手段）２２とを備えて構成されている。
【００２８】
操作検出部２１は、操作部材１２の傾動機構から出力される信号に基づき操作者の傾動操作（ジョイスティック操作）における傾動操作量および傾動操作方向を検出する。
また、操作検出部２１は、操作部材１２の回転機構から出力される信号に基づき操作者の回転操作における回転操作量および回転操作方向を検出する。
また、操作検出部２１は、操作部材１２の変位機構から出力される信号に基づき操作者の押圧操作の有無を検出する。
【００２９】
表示制御部２２は、操作検出部２１により検出された操作部材１２に対する操作者の各操作に応じて、表示画面１１での各種アイコンおよびポインタの表示を制御する。
【００３０】
例えば図３（Ａ）〜（Ｂ）に示すように、表示制御部２２は、第１階層アイコン３１と、第１階層アイコン３１の特性に応じた複数の設定の選択肢３２ａを環状に並べて表示している状態である第２階層アイコン３２と、ポインタ３３と、を表示画面１１に表示可能である。
【００３１】
表示制御部２２は、予め、操作者による操作部材１２の傾動機構の傾動操作の各傾動操作方向に対して表示画面１１上での指示形状（例えば、矢印形状など）を有するポインタ３３の各移動方向を対応付けている。
また、表示制御部２２は、予め、操作者による操作部材１２の傾動機構の傾動操作の傾動操作量に対して表示画面１１上でのポインタ３３の移動速度を対応付けており、傾動操作量の増大に伴い、移動速度が増大傾向に変化するように対応付けている。
【００３２】
例えば図４Ａに示すように、操作者による操作部材１２の傾動機構の傾動操作により傾動機構が傾動操作されると、表示制御部２２は、例えば図３（Ａ）に示すように、表示画面１１上において傾動機構の傾動操作方向に応じた移動方向に、傾動操作量に応じた移動速度でポインタ３３を移動させる。
【００３３】
表示制御部２２は、表示画面１１上において所定位置に表示されている第１階層アイコン３１からの所定距離範囲４１内（例えば、第１階層アイコン３１の中心部からの所定距離範囲内など）にポインタ３３が停止している、もしくは第１階層アイコン３１からの所定距離範囲４１内にポインタ３３が所定速度（ゼロを含む）以下で移動するときに、第１階層アイコン３１を第２階層アイコン３２に変化させる。
そして、表示制御部２２は、第２階層アイコン３２の表示に伴い、ポインタ３３の形状を指示形状（例えば、矢印形状など）から円環形状に変化させて、操作者に操作部材１２の回転機構の回転操作を促す。
【００３４】
表示制御部２２は、予め、操作者による操作部材１２の回転機構の回転操作の各回転操作方向（つまり、時計回りまたは反時計回り）に対して表示画面１１上での環状に配置された複数の選択肢３２ａの遷移方向（つまり、時計回りまたは反時計回り）を対応付けている。
また、表示制御部２２は、予め、操作者による操作部材１２の回転機構の回転操作の回転操作量に対して表示画面１１上での環状に配置された複数の選択肢３２ａの遷移速度を対応付けており、回転操作量の増大に伴い、遷移速度が増大傾向に変化するように対応付けている。
【００３５】
例えば、表示制御部２２は、表示画面１１上において所定位置に表示されている第１階層アイコン３１（例えば、図３（Ａ）での「ＭＯＤＥ」の第１階層アイコン３１）からの所定距離範囲４１内にポインタ３３が所定速度（速度がゼロの場合を含む）以下で移動するときに、例えば図３（Ｂ）に示すように、第１階層アイコン３１を複数の選択肢３２ａを環状に並べて表示している状態である第２階層アイコン３２に変化させる。
そして、第２階層アイコン３２の表示に伴い、ポインタ３３の形状を指示形状（例えば、矢印形状など）から円環形状に変化させる。
【００３６】
そして、例えば図４Ｂに示すように、表示制御部２２は、操作者による操作部材１２の回転機構の回転操作により回転機構が回転操作されると、例えば図３（Ｂ）に示すように、表示画面１１上において回転機構が回転操作方向に応じた遷移方向に、回転操作量に応じた遷移速度で複数の選択肢３２ａを環状に遷移させる。
【００３７】
ここで、表示制御部２２は、環状に配置された複数の選択肢３２ａのうち所定位置の選択肢３２ａを強調表示し、この強調表示した選択肢３２ａを、操作者による操作部材１２の変位機構の押圧操作によって選択可能（つまり、第１階層アイコン３１の特性に応じた設定として決定可能）に設定している。
【００３８】
制御装置１３は、予め、表示画面１１上で第２階層アイコン３２が表示されている状態での操作者による操作部材１２の変位機構の押圧操作に対して、表示画面１１上で環状に配置された複数の選択肢３２ａのうち所定位置で強調表示された選択肢３２ａの選択（つまり、第１階層アイコン３１の特性に応じた設定とする決定）を対応付けている。
【００３９】
例えば図３（Ｂ）に示すように、第２階層アイコン３２を構成する環状に配置された複数の選択肢３２ａのうち所定位置の選択肢３２ａが強調表示されている状態において、操作者による操作部材１２の変位機構の押圧操作により変位機構が押圧操作されると、強調表示された選択肢３２ａを選択し、この選択肢３２ａを第１階層アイコン３１の特性に応じた設定として決定する。
【００４０】
そして、表示制御部２２は、第２階層アイコン３２の表示状態において、操作者による操作部材１２の変位機構の押圧操作により適宜の選択肢３２ａが決定された場合には、複数の選択肢３２ａが環状に配置された第２階層アイコン３２の表示を、決定された選択肢３２ａのみを第１階層アイコン３１として表示する第１階層アイコン３１の表示へと変化させる。
【００４１】
なお、表示画面１１上に表示される第１階層アイコン３１は、例えば図５Ａ、図５Ｂ、図５Ｃ、図６Ａ、図６Ｂおよび図６Ｃに示すように、空調装置（図示略）の設定温度（「ＴＥＭＰ」）を示す画像と、空調装置（図示略）の設定風量（「ＰＯＷＥＲ」）を示す画像と、空調装置（図示略）の作動状態（「ＭＯＤＥ」）を示す画像と、音響装置（図示略）の設定音量（「ＶＯＬ．」）を示す画像と、音響装置（図示略）の出力データ名（「Ｔｒａｃｋ０１」）を示す画像と、操作対象の機器（「ＭＥＤＩＡ」）を示す画像となどである。
【００４２】
そして、表示画面１１上に表示される第２階層アイコン３２は、例えば図５Ａ、図５Ｂ、図５Ｃ、図６Ａ、図６Ｂおよび図６Ｃに示すように、空調装置（図示略）の設定温度に対する複数の選択肢３２ａを環状に並べて表示している画像と、空調装置（図示略）の設定風量に対する複数の選択肢３２ａを環状に並べて表示している画像と、空調装置（図示略）の作動状態に対する複数の選択肢３２ａを環状に並べて表示している画像と、音響装置（図示略）の設定音量に対する複数の選択肢３２ａを環状に並べて表示している画像と、音響装置（図示略）の出力データ名に対する複数の選択肢３２ａを環状に並べて表示している画像と、操作対象の機器に対する複数の選択肢３２ａを環状に並べて表示している画像となどである。
【００４３】
また、例えば図７（Ａ）〜（Ｃ）に示すように、文字入力において表示画面１１上に表示される第１階層アイコン３１はアルファベットの各文字を示す画像であり、第２階層アイコン３２は各第１階層アイコン３１に属する複数のアルファベット文字を選択肢３２ａとして環状に並べて表示している画像である。
【００４４】
この文字入力において、表示制御部２２は、例えば図８Ａに示すように、操作者による操作部材１２の傾動機構の傾動操作により傾動機構が傾動操作されると、例えば図７（Ａ）に示すように、表示画面１１上において傾動機構の傾動操作方向に応じた移動方向に、傾動操作量に応じた移動速度でポインタ３３を移動させる。
【００４５】
そして、表示制御部２２は、表示画面１１上において所定位置に表示されている第１階層アイコン３１（例えば、図７（Ａ）でのアルファベット「ＭＮＯ」を示す画像）からの所定距離範囲４１内にポインタ３３が停止あるいは所定速度（速度がゼロの場合を含む）以下で移動するときに、例えば図７（Ｂ）に示すように、第１階層アイコン３１を、複数の選択肢３２ａ（例えば、第１階層アイコン３１に属する複数のアルファベット文字「ＭＮＯ」を示す画像）を環状に並べて表示している状態である第２階層アイコン３２に変化させる。
そして、第２階層アイコン３２の表示に伴い、ポインタ３３の形状を指示形状（例えば、矢印形状など）から円環形状に変化させる。
【００４６】
そして、表示制御部２２は、例えば図８Ｂに示す操作者による操作部材１２の回転機構の回転操作に応じて、複数の選択肢３２ａを環状に遷移させるとともに、所定位置の選択肢３２ａを強調表示させる。そして、操作者による操作部材１２の変位機構の押圧操作に応じて、強調表示されている選択肢３２ａ（例えば、アルファベットの「Ｏ」の文字を示す画像）を選択し、この選択肢３２ａを第１階層アイコン３１の特性に応じた設定として決定する。
【００４７】
なお、表示制御部２２は、予め、形態素または単語などから構成される名称のデータを記憶しており、文字入力において入力が決定された文字列に対応する名称のデータの候補が存在する場合には、この候補を抽出して表示画面１１上に表示可能である。
例えば図７（Ｃ）に示すように、表示制御部２２は、入力が決定された文字列（例えば、「ＴＯＫ」）に対応する名称のデータの候補が存在する場合には、候補（例えば、「ＴＯＫＹＯ  ＳＴＡＴＩＯＮ」、「ＴＯＫＹＯ  ＰＯＲＴ」、「ＴＯＫＹＯ  ＡＩＲＰＯＲＴ」など）を抽出して表示画面１１上の所定位置に表示する。
【００４８】
そして、表示制御部２２は、例えば図８Ｃに示すように、操作者による操作部材１２の傾動機構の傾動操作により傾動機構が傾動操作されると、例えば図７（Ｃ）に示すように、表示画面１１上において傾動機構の傾動操作方向に応じた移動方向に、傾動操作量に応じた移動速度でポインタ３３を移動させる。
【００４９】
そして、表示制御部２２は、表示画面１１上の所定位置に表示された複数の候補のうち、ポインタ３３が重畳されている候補（例えば、「ＴＯＫＹＯ  ＡＩＲＰＯＲＴ」）を強調表示させる。そして、この候補を、操作者による操作部材１２の変位機構の押圧操作によって選択可能（つまり、文字入力の入力結果として決定可能）に設定している。
【００５０】
なお、表示制御部２２は、文字入力において入力が決定された文字列に対応する名称のデータの候補の全てを一度に視認可能に表示画面１１に表示できない場合、例えば複数ページに候補が表示される場合や、例えばスクロール動作を必要として候補が表示される場合などにおいて、ポインタ３３が候補上に位置するときに操作部材１２の回転機構に対して操作者が所定加速度以上の回転操作を行なった際に、ページ送りやスクロール動作などを実行してもよい。
【００５１】
上述したように、本実施の形態による入力装置１０によれば、第１階層アイコン３１にポインタ３３が接近したときに、第１階層アイコン３１を第２階層アイコン３２に変化させる。そのため、複数の第１階層アイコン３１が表示されている場合であっても、操作者が容易かつ迅速に操作可能な第１階層アイコン３１を認知することができ、操作者が所望の第１階層アイコン３１に到達するまでに要する操作負担を軽減できる。
【００５２】
しかも、第２階層アイコン３２は複数の選択肢３２ａが環状配置されてなり、操作部材１２の回転操作の回転方向（つまり、時計回りまたは反時計回り）に選択肢３２ａが環状に遷移する。そのため、操作部材１２の回転操作により選択肢３２ａを選択可能であることを操作者に直感的に認知させることができる。
【００５３】
また、操作部材１２の傾動操作によるポインタ３３の移動と、操作部材１２の回転操作による選択肢３２ａの遷移とを、単一の操作部材１２に対する連続的な一連の操作によって行なうことができる。そのため、例えば操作部材１２を持ち替えるための手元の移動や操作部材１２を探すための視線移動を必要とせずに、直感的な操作性および利便性を向上させることができる。
【００５４】
しかも、第２階層アイコン３２の表示に伴い、ポインタ３３の形状を指示形状（例えば、矢印形状など）から円環形状に変化させることによって、操作部材１２の回転操作により選択肢３２ａを選択可能であることを操作者に直感的に認知させることができる。そのため、直感的な操作性および利便性を向上させることができる。
【００５５】
さらに、選択肢３２ａを環状に並べて表示している状態である第２階層アイコン３２の表示中に操作者による操作部材１２の変位機構の押圧操作により適宜の選択肢３２ａが決定された後には、この決定された選択肢３２ａを第１階層アイコン３１として表示する状態へと変化させる。
これにより、決定されなかった他の選択肢３２ａの表示を停止して、表示画面１１の表示領域を有効利用できると共に、決定された選択肢３２ａを操作者に迅速かつ的確に視認させることができる。そのため、操作者の視線移動時間を低減できる。
【００５６】
なお、上述した実施の形態において、表示制御部２２は、第２階層アイコン３２が第１階層アイコン３１に比べて大きくなることに起因して他の表示（例えば、地図画像など）と表示位置が重なって視認性が低下する虞がある場合には、第１階層アイコン３１から第２階層アイコン３２へ表示を変化させるときに、第１階層アイコン３１および第２階層アイコン３２に対する背景部分の表示を第２階層アイコン３２の大きさに応じて拡大してもよい。
これにより、第２階層アイコン３２の背景に対する所望のコントラストを確保して、第２階層アイコン３２の視認性が低下することを防止できる。
【００５７】
なお、上述した実施の形態において、表示制御部２２は、第１階層アイコン３１と、第２階層アイコン３２と、ポインタ３３と、を表示画面１１に表示可能であるとした。しかし、これに限定されず、さらに、例えば図９（Ａ）〜（Ｃ）に示すように、第１階層アイコン３１とは異なる中間階層アイコン５１を表示画面１１に表示可能であるとしてもよい。
【００５８】
この変形例において、例えば図１０Ａに示すように、表示制御部２２は、操作者による操作部材１２の傾動機構の傾動操作により傾動機構が傾動操作されると、例えば図９（Ａ）に示すように、表示画面１１上において傾動機構の傾動操作方向に応じた移動方向に、傾動操作量に応じた移動速度でポインタ３３を移動させる。
【００５９】
そして、表示制御部２２は、表示画面１１上において所定位置に表示されている第１階層アイコン３１からの所定第１距離範囲６１内（例えば、第１階層アイコン３１の中心部からの所定第１距離範囲内など）にポインタ３３が停止している、もしくは第１階層アイコン３１からの所定第１距離範囲６１内にポインタ３３が所定第１速度（速度がゼロの場合を含む）以下で移動するときに、例えば図９（Ｂ）に示すように、第１階層アイコン３１を中間階層アイコン５１に変化させる。
なお、中間階層アイコン５１は第１階層アイコン３１を強調表示するものであって、例えば、第１階層アイコン３１が拡大された画像などである。
【００６０】
そして、表示制御部２２は、例えば図１０Ｂに示すように、操作者による操作部材１２の傾動機構の傾動操作により傾動機構が傾動操作されると、例えば図９（Ｂ）に示すように、表示画面１１上において傾動機構の傾動操作方向に応じた移動方向に、傾動操作量に応じた移動速度でポインタ３３を移動させる。
【００６１】
そして、表示制御部２２は、表示画面１１上において所定位置に表示されている中間階層アイコン５１からの所定第２距離範囲６２内（例えば、中間階層アイコン５１の中心部からの所定第２距離範囲内など）にポインタ３３が所定第１速度より低速の所定第２速度（速度がゼロの場合を含む）以下で移動するときに、例えば図９（Ｃ）に示すように、中間階層アイコン５１を第２階層アイコン３２に変化させる。
【００６２】
そして、表示制御部２２は、第２階層アイコン３２の表示に伴い、ポインタ３３の形状を指示形状（例えば、矢印形状など）から円環形状に変化させて、操作者に操作部材１２の回転機構の回転操作を促す。
【００６３】
そして、表示制御部２２は、例えば図１０Ｃに示す操作者による操作部材１２の回転機構の回転操作に応じて、複数の選択肢３２ａを環状に遷移させるとともに、所定位置の選択肢３２ａを強調表示させる。そして、この強調表示された選択肢３２ａを、操作者による操作部材１２の変位機構の押圧操作によって選択可能（つまり、第１階層アイコン３１の特性に応じた設定として決定可能）に設定している。
【００６４】
この変形例によれば、第１階層アイコン３１にポインタ３３が接近したときに、第１階層アイコン３１を、中間階層アイコン５１を介して第２階層アイコン３２に変化させる。そのため、操作者は、より一層、容易かつ迅速かつ的確に操作可能な第１階層アイコン３１を認知することができ、操作者が所望の第１階層アイコン３１に到達するまでに要する操作負担を軽減できる。
【００６５】
なお、上述した実施の形態および変形例において、表示制御部２２は、表示画面１１上で移動するポインタ３３の速度に応じて第１階層アイコン３１を第２階層アイコン３２に変化させるとした。しかし、これに限定されず、さらに、ポインタ３３の加速度に応じて第１階層アイコン３１を第２階層アイコン３２に変化させてもよい。
【００６６】
なお、上述した実施の形態および変形例において、操作部材１２の回転機構あるいは操作検出部２１は、表示画面１１上に第２階層アイコン３２が表示されているときにのみ操作者による操作部材１２の回転機構の回転操作を検出してもよい。
これにより、誤検出を防止し、かつ、入力装置１０の作動負荷を軽減できる。
【００６７】
なお、上述した実施の形態および変形例において、操作部材１２および操作検出部２１は、操作者による操作部材１２に対する他の操作、例えば、たたく、さする、つまむ、なぞる、ねじる、はらうなどを検出可能であってもよい。
例えば図１１Ａおよび図１１Ｂに示すような各種のメニュー項目を表示画面１１上に表示する状態などにおいて、例えば図１２に示すように操作者による操作部材１２をたたく操作が行なわれた場合には、表示制御部２２は、図１１Ａで示されている表示状態を、操作部材１２に対する操作方向に応じたページ送り方向Ｑに、例えば図１１Ｂで示されるような表示内容への遷移を行なったり、新たな表示内容への表示切り換えを行なったりする。
【００６８】
また、例えば図１３（Ａ）〜（Ｂ）に示すような地図画像や、複数のメニュー項目を表示画面１１上に表示する状態などにおいて、例えば図１４Ａおよび図１４Ｂに示すように操作者による操作部材１２の回動操作、つまり操作部材１２を軸線Ｐから傾斜させた状態で軸線Ｐ周りに回動させる操作が行なわれた場合には、表示制御部２２は、操作部材１２に対する回動操作方向（つまり、時計回りまたは反時計回り）に応じた回転方向に表示内容を回転遷移させたり、複数のメニュー項目の配列の並べ替えを行なったりする。
【００６９】
なお、上述した実施の形態および変形例に係る入力装置１０において、表示画面１１は、例えば、ダッシュボードの上部に配置されたダッシュボードディスプレイや、フロントウィンドウ（図示略）上に設けられるヘッドアップディスプレイや、インストルメントパネル（図示略）に配置されたマルチインフォメーションディスプレイや、インストルメントパネル（図示略）の各種計器類（図示略）付近に配置されたディスプレイなどであってもよい。
また、入力装置１０は、車両以外の装置に搭載されてもよい。
【産業上の利用可能性】
【００７０】
本発明によれば、第１階層アイコンにポインタが接近したときに、第１階層アイコンを第２階層アイコンに変化させることから、操作可能な第１階層アイコンを操作者に容易かつ迅速に認知させることができ、操作者が所望の第１階層アイコンに到達するまでに要する操作負担を軽減できる。
【符号の説明】
【００７１】
１０  入力装置
１１  表示画面（表示手段）
１２  操作部材（入力手段）
１３  制御装置
２１  操作検出部
２２  表示制御部（表示手段）
３１  第１階層アイコン
３２  第２階層アイコン
３２ａ  選択肢
３３  ポインタ
４１  所定距離範囲
５１  中間階層アイコン
６１  所定第１距離範囲
６２  所定第２距離範囲
【図１】
0005452770.tif 000002
【図２】
0005452770.tif 000003
【図４Ａ】
0005452770.tif 000004
【図４Ｂ】
0005452770.tif 000005
【図７】
0005452770.tif 000006
【図８Ａ】
0005452770.tif 000007
【図８Ｂ】
0005452770.tif 000008
【図８Ｃ】
0005452770.tif 000009
【図１０Ａ】
0005452770.tif 000010
【図１０Ｂ】
0005452770.tif 000011
【図１０Ｃ】
0005452770.tif 000012
【図１１Ａ】
0005452770.tif 000013
【図１１Ｂ】
0005452770.tif 000014
【図１２】
0005452770.tif 000015
【図１４Ａ】
0005452770.tif 000016
【図１４Ｂ】
0005452770.tif 000017
【図３】
0005452770.tif 000018
【図５Ａ】
0005452770.tif 000019
【図５Ｂ】
0005452770.tif 000020
【図５Ｃ】
0005452770.tif 000021
【図６Ａ】
0005452770.tif 000022
【図６Ｂ】
0005452770.tif 000023
【図６Ｃ】
0005452770.tif 000024
【図９】
0005452770.tif 000025
【図１３】
0005452770.tif 000026